(57)【要約】【課題】ファンユニットを必要に応じて駆動・停止でき、またそのファン回転数を適切に制御することができ、より効率よく低消費電力化を実現できる電子機器を提供する。【解決手段】装脱可能に設けられ発熱部を有する複数枚のユニット２と、複数枚のユニット２を冷却する複数のファンユニット３とを備えた電子機器１において、ユニット２が何枚実装されているかを認識する実装枚数認識部１３と、実装枚数認識部１３で認識されたユニット２の実装枚数に応じてファンユニット３のファン回転数の制御を行うファンコントローラ１６とを有する管理手段１２を備えたものである。【選択図】図１
2011049380.tif 000002
【特許請求の範囲】
【請求項１】
装脱可能に設けられ発熱部を有する複数枚のユニットと、前記複数枚のユニットを冷却する複数のファンユニットとを備えた電子機器において、
前記ユニットが何枚実装されているかを認識する実装枚数認識部と、前記実装枚数認識部で認識された前記ユニットの実装枚数に応じて前記ファンユニットのファン回転数の制御を行うファンコントローラとを有する管理手段を備えたことを特徴とする電子機器。
【請求項２】
前記管理手段は、各ユニットがそれぞれどこに実装されているかを示す実装パターンを認識する実装パターン認識部をさらに有し、前記ファンコントローラは、前記実装パターン認識部で認識された前記実装パターンに応じて前記ファンユニットを選択的に駆動させる請求項１に記載の電子機器。
【請求項３】
前記管理手段は、メモリをさらに有し、前記実装枚数認識部は、前記各ユニットを実装したときの前記各ユニットからの信号に基づいて前記ユニットの前記実装枚数を認識し、認識した前記実装枚数を前記メモリに格納し、前記実装パターン認識部は、前記各ユニットを実装したときの前記各ユニットからの信号に基づいて前記各ユニットがそれぞれどこに実装されているかを示す前記実装パターンを認識し、認識した前記実装パターンを前記メモリに格納し、前記ファンコントローラは、前記メモリに格納された前記実装枚数と前記実装パターンを参照して、各ファンユニットの駆動・停止及びファン回転数を制御する請求項２に記載の電子機器。
【請求項４】
前記ユニットは、自ユニットの前記発熱部の温度を監視する温度監視デバイスを備え、前記ファンコントローラは、前記監視デバイスで監視された前記発熱部の温度に応じて前記ファン回転数を制御する請求項１〜３のいずれかに記載の電子機器。
【請求項５】
装脱可能に設けられ発熱部を有する複数枚のユニットと、前記複数枚のユニットを冷却する複数のファンユニットとを備えた電子機器のファンユニット制御方法において、
前記ユニットが何枚実装されているかを認識し、認識された前記ユニットの実装枚数に応じて前記ファンユニットのファン回転数の制御を行うことを特徴とするファンユニット制御方法。
【請求項６】
各ユニットがそれぞれどこに実装されているかを示す実装パターンを認識し、認識された前記実装パターンに応じて前記ファンユニットを選択的に駆動させる請求項５に記載のファンユニット制御方法。
【請求項７】
前記ユニットの前記発熱部の温度を監視し、監視された前記発熱部の温度に応じて前記ファン回転数を制御する請求項５又は６に記載のファンユニット制御方法。
【発明の詳細な説明】
【技術分野】
【０００１】
本発明は、装脱可能に設けられ発熱部を有する複数枚のユニットと、複数枚のユニットを冷却する複数のファンユニットとを備えた電子機器及びそのファンユニット制御方法に関するものである。
【背景技術】
【０００２】
発熱部を有する回路基板などのユニットと、そのユニットを冷却するファンユニットとを備えた電子機器では、低消費電力化や静音性の観点からファンユニットのファン回転数を発熱量に応じて最適に制御することが行われている。
【０００３】
その制御方法の一つとして、ユニットに発熱部の温度を測定する温度センサを設け、この温度センサで測定された温度に基づいてファン回転数を制御する方法がある（例えば、特許文献１参照）。
【先行技術文献】
【特許文献】
【０００４】
【特許文献１】特開２００９−５９８９８号公報
【発明の概要】
【発明が解決しようとする課題】
【０００５】
しかしながら、この温度センサで測定した温度に基づいてファン回転数を制御する方法では、装脱可能に設けられた複数枚のユニットと、複数のファンユニットとを備えた電子機器、例えばシャーシ型スイッチングハブなど、発熱部の大きさ（装着されたユニット数）が変化する電子機器に対応することができないという問題がある。
【０００６】
例えば、シャーシ型スイッチングハブは、ラインカードがフル実装されても熱の問題がないようにファンの設計がされているが、実際は最大実装枚数よりも少ない枚数のラインカードで運用することがあり、その場合必要量以上にファンを回すことになり電力が無駄になってしまう問題がある。
【０００７】
そこで、本発明の目的は、ファンユニットを必要に応じて駆動・停止でき、またそのファン回転数を適切に制御することができ、より効率よく低消費電力化を実現できる電子機器及びそのファンユニット制御方法を提供することにある。
【課題を解決するための手段】
【０００８】
本発明は上記目的を達成するために創案されたものであり、請求項１の発明は、装脱可能に設けられ発熱部を有する複数枚のユニットと、前記複数枚のユニットを冷却する複数のファンユニットとを備えた電子機器において、前記ユニットが何枚実装されているかを認識する実装枚数認識部と、前記実装枚数認識部で認識された前記ユニットの実装枚数に応じて前記ファンユニットのファン回転数の制御を行うファンコントローラとを有する管理手段を備えたことを特徴とする電子機器である。
【０００９】
請求項２の発明は、前記管理手段は、各ユニットがそれぞれどこに実装されているかを示す実装パターンを認識する実装パターン認識部をさらに有し、前記ファンコントローラは、前記実装パターン認識部で認識された前記実装パターンに応じて前記ファンユニットを選択的に駆動させる請求項１に記載の電子機器である。
【００１０】
請求項３の発明は、前記管理手段は、メモリをさらに有し、前記実装枚数認識部は、前記各ユニットを実装したときの前記各ユニットからの信号に基づいて前記ユニットの前記実装枚数を認識し、認識した前記実装枚数を前記メモリに格納し、前記実装パターン認識部は、前記各ユニットを実装したときの前記各ユニットからの信号に基づいて前記各ユニットがそれぞれどこに実装されているかを示す前記実装パターンを認識し、認識した前記実装パターンを前記メモリに格納し、前記ファンコントローラは、前記メモリに格納された前記実装枚数と前記実装パターンを参照して、各ファンユニットの駆動・停止及びファン回転数を制御する請求項２に記載の電子機器である。
【００１１】
請求項４の発明は、前記ユニットは、自ユニットの前記発熱部の温度を監視する温度監視デバイスを備え、前記ファンコントローラは、前記監視デバイスで監視された前記発熱部の温度に応じて前記ファン回転数を制御する請求項１〜３のいずれかに記載の電子機器である。
【００１２】
請求項５の発明は、装脱可能に設けられ発熱部を有する複数枚のユニットと、前記複数枚のユニットを冷却する複数のファンユニットとを備えた電子機器のファンユニット制御方法において、前記ユニットが何枚実装されているかを認識し、認識された前記ユニットの実装枚数に応じて前記ファンユニットのファン回転数の制御を行うファンユニット制御方法である。
【００１３】
請求項６の発明は、各ユニットがそれぞれどこに実装されているかを示す実装パターンを認識し、認識された前記実装パターンに応じて前記ファンユニットを選択的に駆動させる請求項５に記載のファンユニット制御方法である。
【００１４】
請求項７の発明は、前記ユニットの前記発熱部の温度を監視し、監視された前記発熱部の温度に応じて前記ファン回転数を制御する請求項５又は６に記載のファンユニット制御方法である。
【発明の効果】
【００１５】
本発明によれば、ファンユニットを必要に応じて駆動・停止でき、またそのファン回転数を適切に制御することができ、より効率よく低消費電力化を実現できる。
【図面の簡単な説明】
【００１６】
【図１】本発明の一実施の形態に係る電子機器の内部構造を示す概略図である。
【図２】図１の電子機器の正面図である。
【図３】図１の電子機器の背面図である。
【図４】図１の電子機器における、温度監視デバイスの接続を示すブロック図である。
【図５】図１の電子機器における、ファンユニット制御方法を説明する図である。
【発明を実施するための形態】
【００１７】
以下、本発明の好適な実施の形態を添付図面にしたがって説明する。
【００１８】
図１〜３は、本実施の形態に係る電子機器を示す図であり、図１は内部構造を示す概略図、図２は正面図、図３は背面図である。
【００１９】
図１〜３に示すように、本実施の形態に係る電子機器１は、装脱可能に設けられ図示しない発熱部（例えばＬＳＩ）を有する複数枚（図では５枚）のユニット２と、ユニット２を冷却する複数（図では２つ）のファンユニット３と、図示しない電源ユニットとを備える。本実施の形態においては、電子機器１としてシャーシ型スイッチングハブを説明する。
【００２０】
電子機器１の正面には、各ユニット２を装脱する複数（図では５つ）の実装部４が形成される（図２参照）。実装部４にユニット２を挿入することで、ユニット２が中継回路であるバックプレーン５を介して各ファンユニット３及び他のユニット２と接続されるようになっている。具体的には、各ユニット２は、挿入側に図示しない端子を有しており、この端子を実装部４に設けられた受けコネクタ（図示せず）に嵌入させながら挿入することで実装部４に実装され、受けコネクタ、バックプレーン５を介して各ファンユニット３及び他のユニット２と接続される。
【００２１】
電子機器１の背面には、正面の図示しない吸気口から空気を吸い込んで各ユニット２の発熱部を冷却するファンユニット３の排気口６が形成される（図３参照）。
【００２２】
５枚のユニット２は、４枚が各種ポートや転送処理部などを備えたラインカード７であり、１枚がラインカード７や各種機能の設定や管理を行う管理カード８である。ここでは、一例として管理カード８を１枚としているが、複数の管理カード８を備える冗長構成としてもよい。また、ラインカード７の枚数も５枚に限定されない。
【００２３】
ラインカード７は、図示していないが、端末などが接続される複数のポート、各ポートで受信されたフレームの処理を行う受信処理部、受信処理部で処理されたフレームを元にＦＤＢ学習や宛先ポートの検索などを行う転送処理部、転送処理部で検索された宛先ポートにフレームを転送する送信処理部、他のラインカード７と通信を行うカード間通信制御部などを備えている。カード間通信制御部はバックプレーン５と接続され、バックプレーン５を介して他のラインカード７のカード間通信制御部に接続される。
【００２４】
各ラインカード７及び管理カード８は、自カードの発熱部の温度を測定する温度センサ９ａと、温度センサ９ａで測定された測定温度を格納する記憶部９ｂとからなる温度監視デバイス９を備える。この温度監視デバイス９は、図４に示すように、管理カード８の後述する管理手段１２のＣＰＵ１０に接続されており、従来と同様に、温度監視デバイス９から得られた測定温度により管理手段１２のファンコントローラ１６がファンユニット３のファン１５の回転数（ファン回転数）を制御するようになっている。
【００２５】
さて、電子機器１においては、管理カード８は、ユニット２が何枚実装されているかを認識する実装枚数認識部１３と、各ユニット２がそれぞれどこの実装部４に実装されているかを示す実装パターンを認識する実装パターン認識部１４と、実装枚数認識部１３で認識されたユニット２の実装枚数に応じてファン回転数の制御を行うと共に、実装パターン認識部１４で認識された実装パターンに応じてファンユニット３を選択的に駆動させるファンコントローラ１６とを有する管理手段１２を備える。この管理手段１２は、管理カード８に実装されたＣＰＵ１０やメモリ（バックアップＳＲＡＭ）１１などで実現される。
【００２６】
実装枚数認識部１３は、ユニット２を実装部４に挿抜したとき、ユニット２に設けられた信号送信部（図示せず）からの信号をバックプレーン５を介して受信し、この受信した信号に基づいてユニット２の実装枚数を認識し、認識した実装枚数をメモリ１１に格納するものである。
【００２７】
実装パターン認識部１４は、ユニット２を実装部４に挿抜したとき、ユニット２に設けられた信号送信部（図示せず）からの信号をバックプレーン５を介して受信し、この受信した信号に基づいて実装パターンを認識し、認識した実装パターンをメモリ１１に格納するものである。
【００２８】
以下、実装枚数及び実装パターンを総称して実装状況と言う。本実施の形態においては、ユニット２に設けられた信号送信部からの信号により、ユニット２の実装状況を認識するように構成したが、例えば、実装部４にセンサを設け、このセンサでユニット２の実装を検知し、ユニット２の実装状況を認識するようにしてもよい。
【００２９】
ファンコントローラ１６は、実装枚数認識部１３で認識されたユニット２の実装枚数に応じてファン回転数の制御を行うと共に、実装パターン認識部１４で認識された実装パターンに応じてファンユニット３を選択的に駆動させるものである。また、上述したように、ファンコントローラ１６は、各ラインカード７の温度監視デバイス９で監視された各発熱部の温度に基づいてもファン回転数の制御を行う。
【００３０】
つまり、ファンコントローラ１６は、メモリ１１に格納された実装状況を参照して駆動させるファンユニット３とそのファン回転数を適切に制御するものである。本実施の形態においては、適切な制御のために、予めメモリ１１には実装状況や温度に応じてどのファンユニット３をどの程度のファン回転数で駆動させればよいかというデータベースを格納しておき、ファンコントローラ１６がこのデータベースと実装状況を参照してファンユニット３を制御するようにした。
【００３１】
この電子機器１のファンユニット制御方法の一例を図５で説明する。
【００３２】
ここでは、１つのファンユニット３に３箇所の実装部４を割当てる場合、すなわち図１の図示左側のファンユニット３に図示左側の３箇所の実装部４を割当て、他方図示右側のファンユニット３に図示右側の３箇所の実装部４を割当てる場合を説明する。中央の実装部４の割当てが重複しているが、このような割当て方でも構わない。
【００３３】
（ステップ５００）
図５に示すように、電子機器１では、先ず、実装枚数認識部１３がファンユニット３に割当てられた各実装部４に実装されたユニット２の実装枚数を認識する（ステップ５０１）。
【００３４】
ステップ５０１で認識した実装枚数が０枚のとき、ファンコントローラ１６がバックプレーン５を介してファン回転数を回転数Ｃ（すなわち回転を止める、或いは故障しているか否かが分かる程度の少ない回転数）にする信号をファンユニット３に送信する（ステップ５０２）。
【００３５】
また、ステップ５０１で認識した実装枚数が３枚のとき、ファンコントローラ１６がバックプレーン５を介してファン回転数を回転数Ａ（フル回転）にする信号をファンユニット３に送信する（ステップ５０３）。
【００３６】
さらに、ステップ５０１で認識した実装枚数が１〜２枚のとき、ファンコントローラ１６が温度監視デバイス９より各ユニット２の温度Ｔを取得し（ステップ５０４）、温度Ｔが予め設定した閾値温度Ｔx以下のとき、ファンコントローラ１６がバックプレーン５を介して回転数を回転数Ｂ（通常回転）にする信号をファンユニット３に送信し（ステップ５０５）、他方ステップ５０４で認識した温度Ｔが予め設定した閾値温度Ｔxより高いとき、ファンコントローラ１６がバックプレーン５を介して回転数を回転数Ａ（フル回転）にする信号をファンユニット３に送信する（ステップ５０６）。
【００３７】
このように、電子機器１では、各ユニット２の実装状況及び温度に基づいてファンユニット３の駆動・停止、ファン回転数を適切に制御することができる。
【００３８】
以上要するに、本実施の形態に係る電子機器１では、ユニット２が何枚実装されているかを認識する実装枚数認識部１３と、ユニット２の実装パターンを認識する実装パターン認識部１４と、実装枚数認識部１３で認識されたユニット２の実装枚数及び実装パターン認識部１４で認識された実装パターンに応じてファンユニット３のファン回転数の制御を行うファンコントローラ１６とを有する管理手段１２を備えるため、ファンユニット３を必要に応じて駆動・停止でき、またそのファン回転数を適切に制御することができ、より効率よく低消費電力化を実現できる。
【００３９】
本実施の形態においては、電子機器１としてシャーシ型スイッチングハブについて説明したが、この他にもブレードサーバーなど様々な電子機器に本発明のファンユニット制御方法を適用することができる。
【００４０】
また、本実施の形態においては、一例として１つのファンユニット３に３箇所の実装部４を割当て、割当てられた実装部４に実装されたユニット２が０枚のときはファン１５を停止（或いは故障しているか否かが分かる程度の少ない回転数）させ、３枚のときはファン１５をフル回転させ、１〜２枚のときはユニット２の温度を参照して通常回転若しくはフル回転にするように制御したが、例えば、ユニット２の発熱量やファン１５の冷却能力などに応じてファンユニット３の駆動・停止、及びファン回転数の算出方法は適宜変更するとよい。本実施の形態においては、ファン回転数をＡ，Ｂ，Ｃの３段階としたが４段階以上でも３段階未満としてもよい。
【００４１】
つまり、本発明は上述の実施の形態に限られず、本発明の趣旨を逸脱しない範囲で種々の変形が可能である。
【符号の説明】
【００４２】
１  電子機器
２  ユニット
３  ファンユニット
１３  実装枚数認識部
１６  ファンコントローラ
【図１】
2011049380.tif 000003
【図２】
2011049380.tif 000004
【図３】
2011049380.tif 000005
【図４】
2011049380.tif 000006
【図５】
2011049380.tif 000007